【手続補正書】
【提出日】平成24年3月16日(2012.3.16)
【手続補正１】
【補正対象書類名】特許請求の範囲
【補正対象項目名】全文
【補正方法】変更
【補正の内容】
【特許請求の範囲】
【請求項１】
第１の計算機と、第２の計算機と、１つ以上の記憶領域を有するストレージシステムと、前記第１及び第２の計算機と前記ストレージシステムを管理する管理計算機と、を有し、
前記ストレージシステムは、第１の記憶領域と、そのバックアップデータを格納する第２の記憶領域と、を含み、
前記第２の計算機は、前記第１の記憶領域のレプリカデータを格納する第３の記憶領域と、前記第３の記憶領域のレプリカデータを格納する第４の記憶領域と、を含み、
前記管理計算機は、前記第２記憶領域のデータで前記第１の記録領域に対してリストア処理する際に、前記第３記憶領域のデータが前記リストア処理後の前記第１の記憶領域のデータと同じになるように、前記第４の記憶領域のデータを前記第３の記憶領域のデータに適用することを特徴とする計算機システム。
【請求項２】
請求項１において、
前記第１の計算機は、前記第１の記憶領域への書き込みデータをキャプチャし、当該キャプチャした書き込みデータを前記第２の計算機に転送し、
前記第２の計算機は、前記第１の計算機からの前記書き込みデータを前記第３の記憶領域に格納すると共に、前記書き込みデータの複製を前記第４の記憶領域に追加し、
前記管理計算機は、前記第１の記憶領域のバックアップが実行され、当該バックアップが前記第２の記憶領域に格納された時刻を示すバックアップ時刻と、前記書き込みデータの複製が前記第４の記憶領域に追加された時刻を示す２次レプリカ更新時刻と、を管理し、
前記管理計算機は、前記リストア処理に用いた前記第２の記憶領域の前記バックアップ時刻と、前記２次レプリカ時刻とを参照し、前記第４の記憶領域のデータを前記第３の記憶領域のデータに適用することを特徴とする計算機システム。
【請求項３】
請求項１又は２において、
前記管理計算機は、前記２次レプリカ更新時刻に前記第４の記憶領域に追加された前記書き込みデータが、どのバックアップ時刻に前記第２の記憶領域にバックアップされたかが分かるように、前記バックアップ時刻と前記２次レプリカ更新時刻を対応させて管理し、前記リストア処理に使用した前記第２の記憶領域のデータの前記バックアップ時刻に対応する前記第４の記憶領域のデータを前記第３の記憶領域のデータに適用することを特徴とする計算機システム。
【請求項４】
請求項１乃至３の何れか１項において、
前記管理計算機は、前記第３の記憶領域のレプリカデータを作成し、前記第４の記憶領域に格納する方法を設定するための設定画面を表示装置に表示することを特徴とする計算機システム。
【請求項５】
請求項１乃至４の何れか１項において、
前記第１の計算機は業務サーバであり、前記第２の計算機は待機サーバであり、
前記業務サーバは、前記第１の記憶領域を使用するアプリケーションと、ホストベースレプリケーションを実行し、前記アプリケーションによる前記第１の記憶領域に対する書き込みデータをキャプチャし、前記待機サーバに転送する第１のレプリケーションエンジンと、を有し、
前記待機サーバは、前記第３の記憶領域のデータの複製を２次レプリカデータとして前記第４の記憶領域に格納する第２のレプリケーションエンジンを有し、
前記ストレージシステムは、アレイベースレプリケーションを実行し、予め決められたスケジュールに従って、前記第１の記憶領域のデータのバックアップデータを前記第２の記憶領域に格納するアレイベースレプリケーションエンジンを有することを特徴とする計算機システム。
【請求項６】
請求項１乃至４の何れか１項において、
さらに、前記第１の記憶領域を使用するアプリケーションを有する業務サーバを有し、
前記第１の計算機はスイッチ装置であり、前記第２の計算機は待機サーバであり、
前記スイッチ装置は、レプリケーションを実行し、前記アプリケーションによる前記第１の記憶領域に対する書き込みデータをキャプチャし、前記待機サーバに転送する第１のレプリケーションエンジンと、を有し、
前記第２の計算機は、前記第３の記憶領域のデータの複製を２次レプリカデータとして前記第４の記憶領域に格納する第２のレプリケーションエンジンを有し、
前記ストレージシステムは、アレイベースレプリケーションを実行し、予め決められたスケジュールに従って、前記第１の記憶領域のデータのバックアップデータを前記第２の記憶領域に格納するアレイベースレプリケーションエンジンを有することを特徴とする計算機システム。
【請求項７】
請求項１乃至４の何れか１項において、
前記第１の計算機は第１のＮＡＳ装置であり、前記第２の計算機は第２のＮＡＳ装置であり、
前記第１のＮＡＳ装置は、ファイルシステムプログラムによって前記第１の記憶領域を使用するファイルシステムを管理するプロセッサと、レプリケーションを実行し、前記ファイルシステムプログラムによる前記第１の記憶領域に対する書き込みデータをキャプチャし、前記第２のＮＡＳ装置に転送する第１のレプリケーションエンジンと、を有し、
前記第２のＮＡＳ装置は、前記第３の記憶領域のデータの複製を２次レプリカデータとして前記第４の記憶領域に格納する第２のレプリケーションエンジンを有し、
前記ストレージシステムは、アレイベースレプリケーションを実行し、予め決められたスケジュールに従って、前記第１の記憶領域のデータのバックアップデータを前記第２の記憶領域に格納するアレイベースレプリケーションエンジンを有することを特徴とする計算機システム。
【請求項８】
第１の記憶領域と、そのバックアップデータを格納する第２の記憶領域と、を含むストレージシステムと、第１の計算機と、前記第１の記憶領域のレプリカデータを格納する第３の記憶領域と、前記第３の記憶領域のレプリカデータを格納する第４の記憶領域と、を含む第２の計算機と、前記第１及び第２の計算機と前記ストレージシステムを管理する管理計算機と、を有する計算機システムを制御するシステム制御方法であって、
前記管理計算機が、
前記第２記憶領域のデータで前記第１の記録領域に対してリストア処理を実行し、
前記リストア処理実行の際に、前記第３記憶領域のデータが前記リストア処理後の前記第１の記憶領域のデータと同じになるように、前記第４の記憶領域のデータを前記第３の記憶領域のデータに適用する
ことを特徴とするシステム制御方法。
【請求項９】
請求項８において、さらに、
前記第１の計算機は、前記第１の記憶領域への書き込みデータをキャプチャし、当該キャプチャした書き込みデータを前記第２の計算機に転送し、
前記第２の計算機は、前記第１の計算機からの前記書き込みデータを前記第３の記憶領域に格納すると共に、前記書き込みデータの複製を前記第４の記憶領域に追加し、
前記方法は、
前記管理計算機が、前記第１の記憶領域のバックアップが実行され、当該バックアップが前記第２の記憶領域に格納された時刻を示すバックアップ時刻と、前記書き込みデータの複製が前記第４の記憶領域に追加された時刻を示す２次レプリカ更新時刻と、を管理し、
前記管理計算機が、前記リストア処理に用いた前記第２の記憶領域の前記バックアップ時刻と、前記２次レプリカ時刻とを参照し、前記第４の記憶領域のデータを前記第３の記憶領域のデータに適用する
ことを特徴とするシステム制御方法。
【請求項１０】
請求項８又は９において、
前記管理計算機が、前記２次レプリカ更新時刻に前記第４の記憶領域に追加された前記書き込みデータが、どのバックアップ時刻に前記第２の記憶領域にバックアップされたかが分かるように、前記バックアップ時刻と前記２次レプリカ更新時刻を対応させて管理し、前記リストア処理に使用した前記第２の記憶領域のデータの前記バックアップ時刻に対応する前記第４の記憶領域のデータを前記第３の記憶領域のデータに適用することを特徴とするシステム制御方法。
【請求項１１】
請求項８乃至１０の何れか１項において、さらに、
前記管理計算機が、前記第３の記憶領域のレプリカデータを作成し、前記第４の記憶領域に格納する方法を設定するための設定画面を表示装置に表示することを特徴とするシステム制御方法。
【請求項１２】
請求項８乃至１１の何れか１項において、さらに、
前記管理計算機が、前記第１の記憶領域の業務引継ぎ処理の指示に応答し、前記第３の記憶領域のデータをマウントすることを特徴とするシステム制御方法。